(57)【要約】【課題】スイング練習を楽しみながら続けることができるスイング練習具を提供する。【解決手段】一端にグリップ部２ａを有する練習具本体２が、細長く、内部に空洞を有している。練習具本体２は、グリップ部２ａより他端側の片側の側面に、空洞に連通する複数の穴２ｃを設けて成っている。練習具本体２の複数の穴２ｃに着脱可能に設けられた錘３を有している。グリップ部２ａを握ってスイングしたときに音が鳴るよう、複数の穴２ｃのうちグリップ部２ａに近い穴２ｃに、笛４が設けられている。【選択図】図１
0003164806.tif 000002
【実用新案登録請求の範囲】
【請求項１】
細長く、内部に空洞を有し、一端にグリップ部を有し、前記グリップ部より他端側の片側の側面に前記空洞に連通する複数の穴を設けて成ることを、特徴とするスイング練習具。
【請求項２】
前記複数の穴に着脱可能に設けられた錘を有することを、特徴とする請求項１記載のスイング練習具。
【請求項３】
前記グリップ部を握ってスイングしたときに音が鳴るよう、前記複数の穴のうち前記グリップ部に近い穴に設けられた笛を有することを、特徴とする請求項１または２記載のスイング練習具。
【請求項４】
他端面に調整用穴が設けられ、前記調整用穴に着脱可能に設けられた調整用錘を有することを、特徴とする請求項１、２または３記載のスイング練習具。
【考案の詳細な説明】
【技術分野】
【０００１】
本考案は、野球のバットやゴルフクラブ、テニスラケット等のスイング練習具に関する。
【背景技術】
【０００２】
一般的に、スイングの練習をする際、実際に使用する野球のバットやゴルフクラブ、テニスラケット等を使用して、素振りを行っている。また、実際のものより重くしたマスコットバットなどを使用して素振りを行うこともある（例えば、特許文献１参照）。
【先行技術文献】
【特許文献】
【０００３】
【特許文献１】実開昭６３−２０８７１号公報
【考案の概要】
【考案が解決しようとする課題】
【０００４】
しかしながら、実際に使用するバットや重いマスコットバット等を使用して行う素振りは、単調な動作の繰り返しであり、飽きてしまって長く続かないという課題があった。特に、小学生以下の子どもは、飽きやすいため、スイング練習を続けさせるのが難しかった。
【０００５】
本考案は、このような課題に着目してなされたもので、スイング練習を楽しみながら続けることができるスイング練習具を提供することを目的とする。
【課題を解決するための手段】
【０００６】
上記目的を達成するために、本考案に係るスイング練習具は、細長く、内部に空洞を有し、一端にグリップ部を有し、前記グリップ部より他端側の片側の側面に前記空洞に連通する複数の穴を設けて成ることを、特徴とする。
【０００７】
本考案に係るスイング練習具は、野球のバットやゴルフクラブ、テニスラケット等のスイングを想定して、グリップ部を握ってスイングを行うものである。スイングを行ったとき、片側の側面に設けられた内部の空洞に連通する複数の穴により浮力がかかるため、スイングが軽くなり、効果的なスイング練習を行うことができる。スイング時には、複数の穴が設けられた側面を、スイング方向と反対側に向けることが好ましいが、スイング方向に向けてもよい。
【０００８】
また、複数の穴により、スイング時に音が発生するため、その音を聞きながらスイング練習を行うことができ、遊び心を高めることができる。このため、小学生以下の子どもであっても、スイング練習を飽きずに楽しみながら続けることができる。また、発生する音により、スイングの良し悪しも判断できるようになるため、良いスイングを効果的に身につけることができる。
【０００９】
スイング練習具は、バットやゴルフクラブ等の実物の形状に合せた形状であることが好ましい。材質は、重さや実物を考慮して、例えば、プラスチック製やアルミニウム製、金属製であることが好ましい。複数の穴は、長さ方向に沿って一列や二列に設けられていても、千鳥状に設けられていても、任意に設けられてもよい。穴の数も必要に応じて、いくつ設けられていてもよい。穴の大きさも任意でよいが、穴の大きさにより発生する音が変わるため、所望の音に合せて決めてもよい。穴が設けられた側面は、曲面であっても平坦面であってもよい。また、スイング練習具は、一部または全ての穴を、シールや面ファスナなどで塞いで使用してもよい。この場合、スイング時に掛かる負荷や発生する音を調整することができる。
【００１０】
本考案に係るスイング練習具は、前記複数の穴に着脱可能に設けられた錘を有することが好ましい。この場合、錘の着脱により、使用者に応じて全体の重さを調整することができ、効果的なスイング練習を行うことができる。錘の位置や重さを変えることにより、風圧を変化させ、より細かな調整を行うことができる。また、スイング時に発生する音を調整することもできる。
【００１１】
本考案に係るスイング練習具は、前記グリップ部を握ってスイングしたときに音が鳴るよう、前記複数の穴のうち前記グリップ部に近い穴に設けられた笛を有していてもよい。この場合、笛により、スイング時に明瞭な音を発生させることができ、より遊び心を刺激することができる。笛の種類を変えることにより、飽きさせずにスイング練習に取り組ませることができる。なお、笛は、単に孔をあけただけのものであってもよい。
【００１２】
本考案に係るスイング練習具は、他端面に調整用穴が設けられ、前記調整用穴に着脱可能に設けられた調整用錘を有していてもよい。この場合、グリップ部と反対側の他端面に調整用錘を装着することにより、効率的にスイング時の負荷を高めることができ、より効果的なスイング練習を行うことができる。また、調整用錘をゴルフのクラブヘッドに見立てることにより、効果的なゴルフスイングの練習を行うことができる。異なる重さの複数種類の調整用錘を準備することにより、複数段階の重さの調整を行うことができる。
【考案の効果】
【００１３】
本考案によれば、スイング練習を楽しみながら続けることができるスイング練習具を提供することができる。
【図面の簡単な説明】
【００１４】
【図１】本考案の実施の形態のスイング練習具を示す側面図である。
【図２】本考案の他の実施の形態のスイング練習具を示す斜視図である。
【考案を実施するための形態】
【００１５】
以下、図面に基づき本考案の実施の形態について説明する。
図１は、本考案の実施の形態のスイング練習具を示している。
図１に示すように、スイング練習具１は、練習具本体２と複数の錘３と笛４とを有している。
【００１６】
図１に示すように、練習具本体２は、プラスチック製または金属製で、一端にグリップ部２ａを有する野球のバットの形状を成している。練習具本体２は、細長く、内部に空洞を有している。練習具本体２は、グリップ部２ａより他端側の片側の側面に、長さ方向に沿った平坦面２ｂと、その平坦面２ｂに長さ方向に沿って所定の間隔で一列に並んで設けられた複数の穴２ｃとを有している。各穴２ｃは、空洞に連通しており、内側面に雌ネジが形成されている。
【００１７】
図１に示すように、複数の錘３は、練習具本体２の各穴２ｃに螺合して着脱可能なボルトから成っている。複数の錘３は、それぞれ頭の大きさが異なる複数の重さのボルトから成っている。スイング練習具１は、複数の重さの錘３を、それぞれ複数有している。
【００１８】
図１に示すように、笛４は、練習具本体２の複数の穴２ｃのうち、グリップ部２ａに一番近い穴２ｃに設けられている。笛４は、グリップ部２ａを握ってスイングしたときに音が鳴るようになっている。
【００１９】
次に、作用について説明する。
スイング練習具１は、野球の素振り練習を行うために、好適に使用される。スイング練習具１は、グリップ部２ａを握ってスイングを行ったとき、片側の側面に設けられた内部の空洞に連通する複数の穴２ｃにより浮力がかかるため、スイングが軽くなり、効果的なスイング練習を行うことができる。スイング時には、複数の穴２ｃが設けられた側面を、スイング方向と反対側に向けることが好ましい。
【００２０】
また、複数の穴２ｃや笛４により、スイング時に音が発生するため、その音を聞きながらスイング練習を行うことができ、遊び心を高めることができる。このため、小学生以下の子どもであっても、スイング練習を楽しみながら続けることができる。また、発生する音により、スイングの良し悪しも判断できるようになるため、良いスイングを効果的に身につけることができる。
【００２１】
スイング練習具１は、錘３の着脱により、使用者に応じて全体の重さを調整することができ、効果的なスイング練習を行うことができる。取り付ける錘３の位置や重さを変えることにより、風圧を変化させ、より細かな調整を行うことができる。また、スイング時に発生する音を調整することもできる。スイング練習具１は、一部または全ての穴２ｃを、錘３でなく、シールなどで塞ぐことにより、スイング時に掛かる負荷や発生する音を調整することができる。
【００２２】
スイング練習具１は、例えば、金属バットが重くてスイングできない場合に、金属製の練習具本体２を使用して、初めは錘３を取り付けず、実物より軽い状態で、穴２ｃをシールで塞いで空気抵抗による負荷を調整しながら、無理なくスイング練習することができる。徐々に慣れるに従って、シールを剥がして空気抵抗による負荷を増やしたり、錘３により重さを調整したりすることにより、効果的なスイング練習を行うことができる。
【００２３】
なお、複数の穴２ｃは、一列に限らず、二列や千鳥状に設けられていても、任意に設けられてもよい。穴２ｃの数も必要に応じて、いくつ設けられていてもよい。穴２ｃが設けられた側面は、平坦面２ｂでなくとも、曲面であってもよい。
【００２４】
図２に示すように、スイング練習具１の練習具本体２は、バット形状でなく、細長い丸棒状を成していてもよい。また、他端面に調整用穴２ｄが設けられ、調整用穴２ｄに着脱可能に設けられた調整用錘５を有していてもよい。この場合、調整用穴２ｄに調整用錘５を装着することにより、効率的にスイング時の負荷を高めることができ、より効果的なスイング練習を行うことができる。また、調整用錘５をゴルフのクラブヘッドに見立てることにより、効果的なゴルフスイングの練習を行うことができる。異なる重さの複数種類の調整用錘５を準備することにより、複数段階の重さの調整を行うことができる。
【００２５】
図１および図２に示すように、スイング練習具１の練習具本体２は、バットやゴルフクラブ等の実物の形状に合せた形状であることが好ましい。スイング練習具１は、野球のバットやゴルフクラブ、テニスラケット等のスイングを想定して、グリップ部２ａを握ってスイングを行うことにより、飽きずにスイング練習を楽しみながら続けることができるとともに、効果的なスイング練習を行うことができる。
【符号の説明】
【００２６】
１  スイング練習具
２  練習具本体
２ａ  グリップ部
２ｂ  平坦面
２ｃ  穴
３  錘
４  笛
【図１】
0003164806.tif 000003
【図２】
0003164806.tif 000004